(57)【要約】【課題】容易にバッテリを嵌装できる電子機器及びその筐体を提供する。【解決手段】バッテリカバー１に設けたバッテリ押動部２が、掛合機構Ａを軸としてバッテリカバー１が回転する際に、突起の斜面を利用してバッテリ２０を所定の移動方向に押動させる。これにより、バッテリ２０のコネクタ２２と本体１０側のプリント基板１１に設けられたコネクタ１２とが嵌合され、両者が電気的に接続される。また、バッテリカバー１の閉塞状態において、バッテリ２０はバッテリ押動部２により本体１０に対して固定される。【選択図】　　　　　図６
2004022341.tif 000002
【特許請求の範囲】
【請求項１】
バッテリが嵌装される電子機器であって、
バッテリカバーの閉塞時に所定方向へ前記バッテリを押動させる押動部を有することを特徴とする電子機器。
【請求項２】
前記押動部は、前記バッテリカバーの閉塞後、前記バッテリを固定することを特徴とする請求項１記載の電子機器。
【請求項３】
前記押動部は、前記バッテリカバーに設けられていることを特徴とする請求項１又は２記載の電子機器。
【請求項４】
前記バッテリカバーは、前記電子機器本体に掛合するツメと、前記電子機器本体と係合するスナップフィットとを有し、
前記押動部は、閉塞時に前記ツメが前記電子機器と掛合する部分を軸として回転することで、前記バッテリを前記所定方向へ押動させることを特徴とする請求項３記載の電子機器。
【請求項５】
前記ツメ及び前記スナップフィットは、前記バッテリカバーにおける交わらない第１の辺及び第２の辺にそれぞれ設けられており、
前記押動部は、前記第１の辺及び前記第２の辺と異なる第３の辺に設けられており、前記バッテリカバーの閉塞時に前記バッテリを前記軸と平行な方向へ押動させることを特徴とする請求項４記載の電子機器。
【請求項６】
前記押動部は、前記バッテリカバーにおいて前記ツメと同一の辺に設けられており、前記バッテリカバーの閉塞時に前記バッテリを前記軸から離れる方向へ押動させることを特徴とする請求項４記載の電子機器。
【請求項７】
前記押動部は、前記バッテリカバーにおいて前記ツメが設けられた第１の辺と交わらない第２の辺に設けられており、前記バッテリカバーの閉塞時に前記バッテリを前記軸へ近づく方向へ押動させることを特徴とする請求項４記載の電子機器。
【請求項８】
前記押動部は、前記所定方向に対して所定角度を有する面を含む突起を１つ以上含むことを特徴とする請求項１から７の何れか１項に記載の電子機器。
【請求項９】
前記押動部は、前記突起を３つ含んでなることを特徴とする請求項８記載の電子機器。
【請求項１０】
バッテリが嵌装される電子機器の筐体であって、
閉塞時に所定方向へ前記バッテリを押動させる押動部を有するバッテリカバーを含むことを特徴とする筐体。
【請求項１１】
前記押動部は、前記バッテリカバーの閉塞後、前記バッテリを固定することを特徴とする請求項１０記載の筐体。
【請求項１２】
前記筐体本体に掛合するツメと、
前記筐体本体と係合するスナップフィットとを有し、
前記押動部は、閉塞時に前記ツメが前記電子機器と掛合する部分を軸として回転することで、前記バッテリを前記所定方向へ押動させることを特徴とする請求項１０又は１１記載の筐体。
【請求項１３】
前記押動部は、前記所定方向に対して所定角度を有する面を含む突起を１つ以上含むことを特徴とする請求項１０から１５の何れか１項に記載の筐体。
【発明の詳細な説明】
【０００１】
【発明の属する技術分野】
本発明は、電子機器及びそのバッテリカバーに関し、特にバッテリが嵌装される電子機器及びそのバッテリカバーに関する。
【０００２】
【従来の技術】
従来、ポータブルな電子機器においてバッテリを嵌装するタイプのものが存在する。このような嵌装タイプのバッテリの一例及びこのバッテリが嵌装される本体側の構成の一例を図１に示す。
【０００３】
図１（ａ）に示すように嵌装タイプのバッテリ２０にはバッテリ本体２１にくし状のコネクタ２２が設けられており、これが図１（ｂ）に示す本体１０側のプリント基板１１に設けられたくし状のコネクタ１２と嵌合する仕組みとなっている。また、くし状のコネクタ２２，１２にはそれぞれ電気的な接続端子が設けられており、これらが接触することでバッテリ２０からプリンと基板１１側へ電力が供給される。
【０００４】
このようにバッテリ２０を本体１０に嵌挿させる構成であるため、従来では、図２に示すように、本体１０側に設けられたバッテリ格納部１３にバッテリ２０を装填し、これを所定の移動方向に移動させることでコネクタ２２とコネクタ１２とを嵌合させる手順を踏まなければならなかった。即ち、従来技術では、図３（ａ）に示す状態（嵌挿前の状態）からユーザが手を用いてバッテリ２０を移動させることで、図３（ｂ）に示す状態（嵌挿後の状態）としなければならなかった。
【０００５】
【発明が解決しようとする課題】
しかしながら、このような手順は面倒であり、ユーザにとって非常に困難な作業となる場合が存在する。
【０００６】
そこで本発明は、容易にバッテリを嵌装できる電子機器及びその筐体を提供することを目的とする。
【０００７】
【課題を解決するための手段】
かかる目的を達成するために、本発明は、バッテリが嵌装される電子機器であって、バッテリカバーの閉塞時に所定方向へ前記バッテリを押動させる押動部を有することを特徴とする。これにより、容易にバッテリを嵌装できる電子機器が提供される。即ち、バッテリカバーを閉塞するだけでバッテリを嵌挿することが可能となる。
【０００８】
また、上記の構成において、例えば、前記押動部が、前記バッテリカバーの閉塞後、前記バッテリを固定する。これにより、容易にバッテリを嵌挿できるだけでなく、容易にバッテリを固定できる。
【０００９】
また、別の例として、前記押動部が、前記バッテリカバーに設けられている。これにより、容易にバッテリを嵌挿する構成が簡素且つ安価に実現される。
【００１０】
また、別の例として、前記バッテリカバーが、前記電子機器本体に掛合するツメと、前記電子機器本体と係合するスナップフィットとを有し、前記押動部が、閉塞時に前記ツメが前記電子機器と掛合する部分を軸として回転することで、前記バッテリを前記所定方向へ押動させる。
【００１１】
また、別の例として、前記ツメ及び前記スナップフィットが、前記バッテリカバーにおける交わらない第１の辺及び第２の辺にそれぞれ設けられており、前記押動部が、前記第１の辺及び前記第２の辺と異なる第３の辺に設けられており、前記バッテリカバーの閉塞時に前記バッテリを前記軸と平行な方向へ押動させる。
【００１２】
また、別の例として、前記押動部が、前記バッテリカバーにおいて前記ツメと同一の辺に設けられており、前記バッテリカバーの閉塞時に前記バッテリを前記軸から離れる方向へ押動させる。
【００１３】
また、別の例として、前記押動部が、前記バッテリカバーにおいて前記ツメが設けられた第１の辺と交わらない第２の辺に設けられており、前記バッテリカバーの閉塞時に前記バッテリを前記軸へ近づく方向へ押動させる。これにより、スナップフィットの扱いと設計とを容易にすることが可能となる。
【００１４】
また、別の例として、前記押動部が、前記所定方向に対して所定角度を有する面を含む突起を１つ以上含む。これにより、バッテリカバーの回転によるてこの原理を利用してバッテリを嵌挿できる。
【００１５】
また、別の例として、前記押動部が、前記突起を３つ含んでなる。
【００１６】
また、本発明は、バッテリが嵌装される電子機器の筐体であって、閉塞時に所定方向へ前記バッテリを押動させる押動部を有するバッテリカバーを含むことを特徴とする。これにより、容易にバッテリを嵌装できる電子機器の筐体が提供される。即ち、バッテリカバーを閉塞するだけでバッテリを嵌挿させることが可能となる。
【００１７】
また、上記の構成において、例えば、前記押動部が、前記バッテリカバーの閉塞後、前記バッテリを固定する。これにより、容易にバッテリを嵌挿できるだけでなく、容易にバッテリを固定できる電子機器の筐体が提供される。
【００１８】
また、別の例として、前記筐体本体に掛合するツメと、前記筐体本体と係合するスナップフィットとを有し、前記押動部が、閉塞時に前記ツメが前記電子機器と掛合する部分を軸として回転することで、前記バッテリを前記所定方向へ押動させる。
【００１９】
また、別の例として、前記押動部が、前記所定方向に対して所定角度を有する面を含む突起を１つ以上含む。これにより、バッテリカバーの回転によるてこの原理を利用してバッテリを嵌挿できる。
【００２０】
【発明の実施の形態】
以下、本発明の好適ば実施形態について図面を用いて詳細に説明する。
【００２１】
〔第１の実施形態〕
まず、本発明の第１の実施形態について以下に図面を用いて詳細に説明する。
【００２２】
図４は、本実施形態による電子機器の本体１０の外観を示す斜視図である。また、この電子機器の裏面及び側面の構成を図５に示す。尚、本実施形態では、携帯可能（ポータブル）な電子機器を例に挙げて説明するが、本発明ではこれに限定されず、嵌挿タイプのバッテリが装填される電子機器であれば如何なるものも適用することが可能である。
【００２３】
図４及び図５に示すように、ポータブルな電子機器に限らずバッテリ２０で動作する通常の電子機器では、一般的に本体１０の裏面にバッテリ２０を装填する構成が設けられている。本実施形態の主要格子は、装填されたバッテリ２０をカバーするバッテリカバー１に盛り込まれている。
【００２４】
本実施形態によるバッテリカバー１の構成を図６に示す。図６を参照すると明らかなように、バッテリカバー１には、本体１０側の筐体に設けられた受け具ａ（図示せず）と掛合するツメ３と、本体１０側の筐体に設けられた受け具ｂと係合するスナップフィット４とが設けられている。この構成は一般的なバッテリカバーと同様のものである。従って、ユーザは、バッテリカバー１で本体１０に装填したバッテリ２０を閉塞する際に、受け具ａにツメ３を掛合し、この掛合部分（掛合機構Ａ：図７参照）を軸としてバッテリカバー１を回転させながらスナップフィット４を受け具ｂに係合させる。これにより、バッテリカバー１は、掛合部分（掛合機構Ａ）と係合部分（係合機構Ｂ：図７参照）とで本体１０に固定され、バッテリ２０が閉塞される。
【００２５】
また、本実施形態によるバッテリカバー１には、バッテリ押動部２が設けられている。尚、本実施形態では、バッテリ押動部２が、バッテリカバー１におけるツメ３又はスナップフィット４が設けられた２つの辺と異なる２辺の内、一方の辺に設けられている。
【００２６】
このバッテリ押動部２は、掛合機構Ａを軸とすると、この軸に対して所定角度を成す面を含む突起を有して構成される。尚、突起の数を本実施形態では３つとするが、これに限定されず１つ又は複数であってよい。
【００２７】
次に、図７を用いてバッテリ押動部２の作用を説明する。図７（ａ）に示すように、掛合機構Ａを軸としてバッテリカバー１を回転させると、バッテリ押動部２は、突起の斜面を利用してバッテリ２０を所定の移動方向に押動させる（図７（ｂ）押動機構Ｃ参照）。これは、掛合機構Ａを軸としたバッテリカバー１の回転によるてこの原理を利用して実現される。尚、移動方向は、バッテリ２０のコネクタ２２とプリント基板１１のコネクタ１２とが嵌合する方向である。また、移動距離は設計上で種々変形されるものであるが、少なくともコネクタ２２の接続端子が十分にコネクタ１２の接続端子と接触できる程度の距離とする。
【００２８】
このようにバッテリ２０が押動機構Ｃにより押動されると、バッテリ２０のコネクタ２２はプリント基板１１に設けられたコネクタ１２に嵌挿する。これにより、バッテリ２０とプリント基板１１とが電気的に接続される。
【００２９】
また、バッテリ押動部２は、バッテリカバー１を閉塞した状態において、バッテリ２０を本体１０に対して固定する。これは、バッテリ押動部２の突起が閉塞状態においてバッテリを押止する状態を維持するよう設計することで実現される。
【００３０】
以上のように構成することで、本実施形態ではバッテリカバー１を閉塞する動作を行うだけでバッテリ２０を押動して位置決めすることが可能となる。更に本実施形態では、バッテリカバー１を閉塞するだけで、バッテリ２０を本体１０に対して固定させることが可能となる。
【００３１】
尚、本実施形態では、バッテリ２０における少なくともバッテリ押動部２が接触する部分に所定の補強加工を施すことで、バッテリ２０に与えられる力学的ダメージを軽減させるよう構成してもよい。
【００３２】
〔第２の実施形態〕
次に、本発明の第２の実施形態について以下に図面を用いて詳細に説明する。図８は、本実施形態によるバッテリカバー１Ａの構成を示す斜視図である。
【００３３】
図８を参照すると明らかなように、バッテリカバー１Ａは、第１の実施形態と異なり、バッテリ押動部２ａがバッテリカバー１Ａにおけるツメ３と同一の辺に設けられている。即ち、本実施形態では、バッテリ押動部２ａがバッテリカバー１Ａの回転によるてこの原理を最大限に活用できる辺に設けられている。尚、バッテリ押動部２ａの構成は第１の実施形態によるバッテリ押動部２の構成と同様である。
【００３４】
これにより、本実施形態ではバッテリカバー１Ａの閉塞時に要するユーザの力を最小限に抑えることが可能となる。但し、本実施形態のように構成した場合、バッテリ２０の移動方向は、掛合機構Ａを軸として、この軸から離れる方向となる。また、他の構成は第１の実施形態と同様であるため、ここでは説明を省略する。
【００３５】
〔第３の実施形態〕
また、バッテリカバー１の別の例を第３の実施形態として以下に説明する。図９は、本実施形態によるバッテリカバー１Ｂの構成を示す斜視図である。
【００３６】
図９を参照すると明らかなように、バッテリカバー１Ｂは、第１の実施形態と異なり、バッテリ押動部２ｂがバッテリカバー１Ｂにおけるスナップフィット４と同一の辺に設けられている。尚、バッテリ押動部２ｂの構成は第１の実施形態によるバッテリ押動部２の構成と同様である。
【００３７】
一般的に、バッテリカバー１Ｂのスナップフィット４を本体１０の内側よりも外側、即ちエッジで係合させるよう構成した方がユーザの使い勝手がよい。これは指によるスナップフィット４の扱いが容易となるためである。また、バッテリ２０の移動方向は、設計的見地から鑑みて、本体１０の内側へ向いていた方が都合がよい。本実施形態は、これら２つの要求を満足する１つの構成例を示すものである。
【００３８】
即ち、本実施形態では、スナップフィット４の扱いが容易で且つ設計が容易な電子機器及びその筐体が実現される。但し、本実施形態のように構成した場合、バッテリ２０の移動方向は、掛合機構Ａを軸として、この軸に近づく方向となる。また、他の構成は第１の実施形態と同様であるため、ここでは説明を省略する。
【００３９】
〔他の実施形態〕
以上、説明した実施形態は本発明の好適な一実施形態にすぎず、本発明はその趣旨を逸脱しない限り種々変形して実施可能である。
【００４０】
【発明の効果】
以上説明したように、本発明によれば、容易にバッテリを嵌装できる電子機器及びその筐体が実現される。即ち、バッテリカバーを閉塞するだけでバッテリを嵌挿することが可能な電子機器とその筐体が提供できる。
【００４１】
また、この他に、同様の構成を利用して容易にバッテリを固定される電子機器及びその筐体が実現される。
【００４２】
また、これらがバッテリカバーに簡素な構成を追加するだけで実現可能であるため、容易且つ安価に電子機器及びその筐体を提供することが可能となる。
【図面の簡単な説明】
【図１】（ａ）はバッテリ２０の構成を示す斜視図であり、（ｂ）はバッテリ２０が接続される本体１０側のコネクタ１２を示す斜視図である。
【図２】バッテリ２０を嵌装させる際の従来の機構を説明するための断面図である。
【００００】
【図３】（ａ）はバッテリカバー１の嵌挿前のバッテリ２０側のコネクタ２２及び本体１０側のコネクタ１２の状態を示す斜視図であり、（ｂ）は嵌挿後のコネクタ２２及びコネクタ１２の状態を示す斜視図である。
【図４】電子機器の本体１０の外観を示す斜視図である。
【図５】電子機器の本体１０の外観を示す側面図（側面ａ，ｂ）及び裏面図である。
【図６】本発明の第１の実施形態によるバッテリカバー１の構成を示す斜視図である。
【図７】（ａ）はバッテリカバー１の閉塞時の機構を説明するための側面図であり、（ｂ）はバッテリカバー１を閉塞することによりバッテリ２０が押動される機構を説明するための断面図である。
【図８】本発明の第２の実施形態によるバッテリカバー１Ａの構成を示す斜視図である。
【図９】本発明の第３の実施形態によるバッテリカバー１Ｂの構成を示す斜視図である。
【符号の説明】
１、１Ａ、１Ｂ　バッテリカバー
２、２ａ、２ｂ　バッテリ押動部
Ａ　掛合機構
Ｂ　係合機構
Ｃ　押動機構
Ｄ　接続機構
【図１】
2004022341.tif 000003
【図２】
2004022341.tif 000004
【図３】
2004022341.tif 000005
【図４】
2004022341.tif 000006
【図５】
2004022341.tif 000007
【図６】
2004022341.tif 000008
【図７】
2004022341.tif 000009
【図８】
2004022341.tif 000010
【図９】
2004022341.tif 000011